(57)【要約】      （修正有）【課題】公転する、広範囲に延ばされた運搬要素と、複数個の枠プロファイルをともなう、運搬要素の側方包囲のための枠構築物とを含む、運搬装置の提供。【解決手段】枠構築物の少なくとも２つの枠プロファイルは、中空のプロファイルとして設計され、それらのプロファイル長手方向軸Ｌにおいて対面側端部セクション８，２８を介して互いに接続される。２つの枠プロファイルのプロファイル壁部９，１０，１１は、それらの対面側端部セクションにおいて、２つの枠プロファイルが積極的な嵌合い接続を形成する態様で設計され、それによって、接続上に長手方向に作用する力、横断するように作用する力、および鉛直方向に作用する力を打ち消す。【選択図】図１
2014156353.tif 000002
【特許請求の範囲】
【請求項１】
運搬装置（１）であって、
−公転する、広範囲に延ばされた運搬要素（２）と、
−複数個の枠プロファイル（７，２７；５７，７７）をともなう、前記運搬要素（２）の側方包囲のための枠構築物（６）とを含み、
前記枠構築物（６）の少なくとも２つの枠プロファイル（７，２７；５７，７７）は、中空のプロファイルとして設計され、それらのプロファイル長手方向軸（Ｌ）において対面側端部セクション（８，２８）を介して互いに接続され、
前記２つの枠プロファイル（７，２７）のプロファイル壁部（９，１０，１１）は、それらの対面側端部セクション（８，２８）において、前記２つの枠プロファイル（７，２７；５７，７７）が少なくとも１つの積極的な嵌合い接続を形成する態様で設計され、それによって、前記接続上に長手方向に作用する力、横断するように作用する力、および鉛直方向に作用する力を打ち消すことにおいて特徴付けられる、運搬装置（１）。
【請求項２】
前記少なくとも１つの積極的な嵌合い接続は、前記接続上に、鉛直に上方向にまたは鉛直に下方向に作用する力を打ち消すことにおいて特徴付けられる、請求項１に記載の運搬装置（１）。
【請求項３】
前記２つの枠プロファイル（７，２７；５７，７７）の側方プロファイル壁部（９，１０，１１）は、それらの対面側端部セクション（８，２８）において、前記２つの枠プロファイル（７，５７）の一方は鉛直に上方向または鉛直に下方向に可動であり他方の枠プロファイル（２７，７７）に対して対向する方向において当接する態様で設計されることにおいて特徴付けられる、請求項１または２に記載の運搬装置。
【請求項４】
前記２つの枠プロファイル（７，２７；５７，７７）はねじ接続を介して互いに接続され、前記ねじ接続は、前記接続上に、鉛直に上方向および鉛直に下方向に作用する力を打ち消すことにおいて特徴付けられる、請求項１〜３の１つに記載の運搬装置。
【請求項５】
前記ねじ接続は、上からまたは下から前記枠プロファイル（７，２７；５７，７７）の前記対面側端部セクション（８，２８）を通って導かれるねじ（１４）を含み、前記ねじ（１４）は、特に、第１の枠プロファイル（７，５７）の上側プロファイル壁部（８）、および第２の枠プロファイル（２７，７７）の下側プロファイル壁部（１０）を通って導かれ固定されることにおいて特徴付けられる、請求項４に記載の運搬装置。
【請求項６】
前記ねじ（１４）は、プロファイル空洞（２４）に取付けられた支持要素（１５）を通って導かれ、この支持要素に支持されることにおいて特徴付けられる、請求項４または５に記載の運搬装置。
【請求項７】
前記ねじ（１４）は、下側または上側プロファイル壁部（１０）において外側または内側に取付けられたねじ筋要素（１６）内に導かれ、このねじ筋要素にねじ留めされることにおいて特徴付けられる、請求項４〜６の１つに記載の運搬装置。
【請求項８】
前記枠プロファイル（７，２７；５７，７７）の２つの側方プロファイル壁部（１１）は、各場合において、前記対面側端部セクション（８，２８）において、第１の対面縁部セクション（１７ａ）、および前記第１の対面縁部セクション（１７ａ）に関して前記プロファイル長手方向軸（Ｌ）に沿って後退させられる第２の対面縁部セクション（１７ｂ）を形成することにおいて特徴付けられる、請求項１〜７の１つに記載の運搬装置。
【請求項９】
前記枠プロファイル（７，２７；５７，７７）の２つの側方プロファイル壁部（１１）の対面縁部（１７）は、前記プロファイル長手方向軸（Ｌ）を横断するように見て、第１および第２の対面縁部セクション（１７ａ，１７ｂ）間のオフセットの領域において、溝状の凹部（１８）を形成することにおいて特徴付けられる、請求項１〜８の１つに記載の運搬装置。
【請求項１０】
前記２つの枠プロファイル（７，２７；５７，７７）の２つの側方プロファイル壁部（１１）の対面縁部（１７）は、前記プロファイル長手方向軸（Ｌ）を横断するように見て、オフセットの領域において、Ｚ形状またはＳ形状に設計されることにおいて特徴付けられる、請求項１〜９の１つに記載の運搬装置。
【請求項１１】
前記２つの枠プロファイル（７，２７；５７，７７）の側方プロファイル壁部（１１）の前記対面側端部セクション（８，２８）における対面縁部（１７）は、互いと等しく、かつ互いと対向する態様で設計され、したがって、前記枠プロファイル（７，２７）の前記側方プロファイル壁部（１１）は積極的な嵌合いで合わせることが可能であることにおいて特徴付けられる、請求項１〜１０の１つに記載の運搬装置。
【請求項１２】
前記枠プロファイル（７，２７）の上側および／または下側プロファイル壁部（９，１０）は前記対面側端部セクション（８，２８）においてその対面縁部（１８）で、前記プロファイル長手方向軸（Ｌ）において突起（２０）を形成することにおいて特徴付けられる、請求項１〜１１の１つに記載の運搬装置。
【請求項１３】
前記枠プロファイル（７，２７）の上側および／または下側プロファイル壁部（９，１０）は前記対面側端部セクション（８，２８）においてその対面縁部（１８）で、前記プロファイル長手方向軸（Ｌ）において凹部（２１）を形成することにおいて特徴付けられる、請求項１〜１２の１つに記載の運搬装置。
【請求項１４】
前記突起（２０）および前記凹部（２１）は、互いと等しく、かつ互いと対向する態様で設計され、したがって、前記枠プロファイル（７，２７）の前記上側および／または下側プロファイル壁部（９，１０）は、積極的な嵌合いで合わせることが可能であることにおいて特徴付けられる、請求項１２および１３に記載の運搬装置。
【請求項１５】
前記プロファイル長手方向軸（Ｌ）に沿って対面縁部（１８）を越えて突出するガイド要素（７２）が、前記対面側端部セクション（８，２８）において、一方の枠プロファイル（７７）の上側および／または下側プロファイル壁部（９，１０）の内側において取付けられることにおいて特徴付けられる、請求項１〜１４の１つに記載の運搬装置。
【請求項１６】
対面縁部（１７）を越えて突出する側部案内要素（７３）が、前記対面側端部セクション（８，２８）において、一方の枠プロファイル（７７）の側方プロファイル壁部（１１）の内側において取付けられることにおいて特徴付けられる、請求項１〜１５の１つに記載の運搬装置。
【請求項１７】
少なくとも２つの枠プロファイル（７，２７）をともない、枠構築物（６）を形成するためのキットであって、前記枠プロファイル（７，２７）は、中空のプロファイルとして設計され、それらのプロファイル長手方向軸（Ｌ）において対面側端部セクション（８，２８）を介して互いに接続され得、
前記２つの枠プロファイル（７，２７；５７，７７）のプロファイル壁部（９，１０，１１）は、それらの対面側端部セクション（８，２８）において、前記２つの枠プロファイル（７，２７；５７，７７）がそれらの対面側端部セクション（８，２８）において少なくとも１つの積極的な嵌合い接続を形成し得る態様で設計され、それによって、前記接続上に長手方向に作用する力、横断するように作用する力、および鉛直方向に作用する力を打ち消すことにおいて特徴付けられる、キット。
【請求項１８】
−作業者ライダーベルトとしての、
−保管スペース運搬装置としての、または
−保管スペースに積荷およびそれから荷降しするための、請求項１〜１６の１つに記載の運搬装置（１）の使用。
【発明の詳細な説明】
【技術分野】
【０００１】
この発明は、運搬技術の分野に関し、運搬装置に関する。運搬装置は、少なくとも１つの、公転する、広範囲に延ばされた運搬要素、および複数個の枠プロファイルをともなう、運搬要素の側方包囲のための枠構築物を含む。枠構築物の少なくとも２つの枠プロファイルは、中空のプロファイルとして設計され、それらのプロファイル長手方向軸において対面側端部セクションを介して互いに接続される。
【背景技術】
【０００２】
運搬ベルトまたはマット鎖のような公転する広範囲に（二次元的に）延ばされた運搬要素をともなう運搬装置が、現状技術において公知である。運搬要素は、通常、１つまたは２つの偏向位置において偏向軸により駆動される。運搬要素は、運搬物が上にある上側走行セクションの領域においてこれらの運搬要素を支持するために、偏向位置間においてガイドレール上において摺動する態様で導かれる。運搬要素が偏向位置間においてローラ体上に支持されこれらの上で転動する運搬装置も公知である。
【０００３】
運搬装置は、通常、複数個の枠プロファイルからなる枠構築物を含む。この構築物は、特に、運搬要素のための駆動部、運搬要素および支持構造体のような、運搬装置の構成要素に対する担持枠として働く。担持枠は、側方において運搬要素を包囲する長手方向に走る枠プロファイルと、長手方向に走る枠プロファイルを互いに接続する横断プロファイルとを含む。これらの横断プロファイルは、特に、運搬装置の前方および後方頭部端に配置される。さらに、側方枠プロファイル間において延在し、これらに接続される横断支材を、頭部端間に設けることが可能である。
【０００４】
言及される運搬装置は、たとえば作業者ライダーベルトとして適用される。
ＤＥ  １０  ２００６  ０１０  ９７４  Ａ１およびＤＥ  １０  ２００７  ０１７  ６２８  Ａ１は、運搬ベルトと２つの側方側部プロファイルが運搬ベルトの長手方向に延在する本質的に水平なプロファイル枠とをともなう運搬装置について記載する。運搬装置は特に作業者ライダーベルトを供する。
【先行技術文献】
【特許文献】
【０００５】
【特許文献１】ＤＥ  １０  ２００６  ０１０  ９７４  Ａ１
【特許文献２】ＤＥ  １０  ２００７  ０１７  ６２８  Ａ１
【発明の概要】
【発明が解決しようとする課題】
【０００６】
作業者ライダーベルトは、地中に埋没されることが多く、したがって、運搬要素によって形成される運搬表面が地面と面一になる。段差および肩部は、これにより回避され、これはアクセスをかなり単純化し、事故の危険を低減する。しかしながら、そのような構成は、そのような作業者ライダーベルトの構成要素は上からのみアクセス可能であるという欠点を有する。これは、運搬装置の組み立ておよび分解をより困難にし、ならびに整備および修理目的のために運搬装置の個々の構成要素に接近するのをより困難にする。
【０００７】
他の適用例、たとえば保管スペース管理では、運搬装置の構成要素は下からのみアクセス可能である。
【０００８】
運搬装置に関するさらなる要求は、運搬方向における柔軟性のある構築物長さである。したがって、同じ構成要素から、異なる構築物長さの、つまり異なるように長い運搬距離をともなう運搬装置を製造することが可能であるべきである。異なる構築物長さをともなう高価で注文生産による製造が、このようにして回避されることになる。
【０００９】
したがって、この発明の目的は、地面または床に埋没されても、一方では十分な接近性を確実にする、最初に言及されたタイプの運搬装置を示唆することである。さらに、運搬装置は、同じ構成要素を用いながら異なる構築物長さにおいてモジュールで設計されることができるべきである。
【００１０】
この目的は、独立請求項１および１７の特徴によって達成される。この発明のさらなる好ましい実施例およびさらなる展開が、従属特許請求項、記載および図面から推定される。
【課題を解決するための手段】
【００１１】
この発明に従う運搬装置は、少なくとも１つの、公転する、広範囲に延ばされた運搬要素、および複数個の枠プロファイルをともなう、運搬要素の側方包囲のための枠構築物を含む。枠プロファイルは長手方向に延ばされた構成要素として理解される。
【００１２】
枠構築物の少なくとも２つの枠プロファイルは、中空のプロファイルとして設計され、それらのプロファイル長手方向において対面端部セクションを介して互いに接続される。少なくとも２つの枠プロファイルは好ましくは同じ断面の形状を有し、製造による偏差、いわゆる公差が許容可能である。
【００１３】
言及される中空のプロファイルは、好ましくは、鋼またはアルミニウムのような金属からなる長手方向の構成要素である。しかしながら、中空のプロファイルはプラスチックから形成することが可能である。中空のプロファイルは、たとえば、押出成形されたプロファイルであり得る。
【００１４】
この発明は、２つの枠プロファイルのプロファイル壁部が、それらの対面側端部セクションにおいて、２つの枠プロファイルがそれらの対面側端部セクションにおいて少なくとも１つの積極的な嵌合い接続を形成する態様で設計されることによって、解決され得る。積極的な嵌合い接続は、長手方向の、横断する、および鉛直の態様において該接続に作用する力を打ち消す。
【００１５】
枠プロファイルはそれらの対面側端部セクションにおいて２つの積極的な嵌合い接続を形成することが可能である。
【００１６】
枠プロファイルはそれらの対面側端部セクションにおいて３つの積極的な嵌合い接続を形成することが可能である。
【００１７】
枠プロファイルはそれらの対面側端部セクションにおいて４つの積極的な嵌合い接続を形成することが可能である。
【００１８】
積極的な嵌合い接続は、好ましくは各場合において接続されるべき枠プロファイルの２つの側壁によって形成され、前記側壁はそれらの対面縁部において会う。
【００１９】
２つの枠プロファイルはしたがって運搬要素の運搬方向と平行に走る側方長手方向のプロファイルである。運搬要素はたとえば運搬表面を形成する上側走行セクションを含む。さらに、運搬要素は、運搬要素を後ろに導く下側走行セクションを含む。運搬要素は、特に、可撓性のある態様で形成される。
【００２０】
運搬要素は、上側走行セクションより下、特に上側走行セクションと下側走行セクションとの間において、底部に対する運搬要素または上側走行セクションの転動支持のための支持構造体を含むことが可能である。たとえば支持ローラを含む支持構造体は、枠構築物において、特に側方枠プロファイルにおいて、横断支材を介して支持されることが可能である。
【００２１】
運搬装置は、さらに、運搬要素を駆動するための駆動装置を含むことが可能である。この駆動装置は、運搬要素の偏向位置において、たとえば運搬装置の前方または後方頭部端に配置することが可能である。
【００２２】
２つの枠プロファイルのプロファイル壁部は、それらの対面側端部セクションにおいて、さらに好ましくは、２つの枠プロファイルの一方は鉛直に上方向または鉛直に下方向に可動であり他方の枠プロファイルに対して対向する方向に当接するような態様で設計される。
【００２３】
方向の記載である「鉛直の」または「鉛直に上方向に」および「鉛直に下方向に」は、運搬表面が水平に整列するときの重力の方向に関する。
【００２４】
接続に鉛直に作用する力はねじ接続を介して打ち消され、そのため、２つの枠プロファイルは、運搬装置の動作中において鉛直方向にも可動ではない。このために、ねじ接続は、頂部または底部から枠プロファイルの対面側端部セクションを通って鉛直方向に導かれる接続ねじを含む。
【００２５】
接続ねじは、好ましくは、第１の枠プロファイルの上側プロファイル壁部と、上側プロファイル壁部に対向してある第２の枠プロファイルの下側プロファイル壁部とを通って導かれ、固定される。
【００２６】
接続ねじは、第１の枠プロファイルのプロファイル空洞に取付けられた支持要素を通って導かれ、たとえばねじ頭部を介してこの支持要素に支持され得る。支持要素はプレートであり得る。支持プレートは、プロファイル空洞を通って、横断するように、たとえば上側および下側プロファイル壁部と平行に、延在し、各場合において、一方の端部が側方プロファイル壁部にある状態で固定され得る。支持要素は、ボンド接続、ハンダ接続または溶接接続を介して枠プロファイルに接続することが可能である。
【００２７】
接続ねじは、内側ねじ筋をともなうねじ筋要素内に導かれ、ねじが頂部から挿入されるかまたは底部から挿入されるかに依って、第２の枠プロファイルの下側または上側プロファイル壁部において外側または内側に取付けられ、このねじ筋要素にねじ込められることが可能である。ねじ筋要素はナットであり得る。ねじ筋要素は、ボンド接続、ハンダ接続または溶接接続を介して枠プロファイルに接続することが可能である。
【００２８】
２つの枠プロファイルの２つの側方プロファイル壁部は、各場合において、対面側端部セクションにおいて、好ましくは、第１の対面縁部セクション、および第１の対面縁部セクションに関してプロファイル長手方向軸に沿って後退させられる第２の対面縁部セクションを形成する。言及される対面縁部セクションは、好ましくは、上側プロファイル壁部から下側プロファイル壁部の方向に、またはその逆に、走る。
【００２９】
２つの側方プロファイル壁部の対面縁部は、プロファイル長手方向軸を横断するように見て、第１および第２の対面縁部セクション間のオフセットの領域において、溝状の凹部を形成する。溝状の凹部はプロファイル端部の方向において、好ましくは、上側または下側プロファイル壁部に向けられた突起に合併する。
【００３０】
突起はプロファイル接続の形成のために反対のプロファイルの溝状の凹部に挿入され、枠プロファイル上の突起は鉛直に上方向に向けられ、他方の枠プロファイル上の突起（接続パートナー）は鉛直に下方向に向けられる。
【００３１】
突起は溝状の凹部との組合せにおいてフックの機能を有する。一方の枠プロファイルは、それによって、突起を介して反対のプロファイルの凹部内に掛けられる。
【００３２】
したがって、２つの側方プロファイル壁部の対面縁部は、プロファイル長手方向軸を横断するように見て、オフセットの領域において、Ｚ形状またはＳ形状の態様で設計され得る。
【００３３】
２つの枠プロファイルの２つのプロファイル壁部の対面縁部は、好ましくは同じ形状を有する。
【００３４】
枠プロファイルの側方プロファイル壁部の対面側端部セクションにおける対面縁部は、好ましくは互いと等しく、かつ互いと対向して設計され、したがって、２つの枠プロファイルの側方プロファイル壁部は積極的な嵌合いで合わせることが可能である。
【００３５】
この発明のさらなる展開によれば、一方の枠プロファイルの上側および／または下側プロファイル壁部は対面側端部セクションにおいてその対面縁部で、プロファイル長手方向軸に沿って整列される突起を形成する。
【００３６】
他方の枠プロファイルの対応する上側および／または下側プロファイル壁部は対面側端部セクションにおいてその対面縁部で、プロファイル長手方向軸に沿って整列され突起に対応する凹部を形成する。突起および凹部は、好ましくは等しくかつ対向する態様において設計され、したがって、枠プロファイルの上側および／または下側プロファイル壁部は、積極的な嵌合いで合わせることが可能である。
【００３７】
したがって、第１の枠プロファイルは、上側および下側枠プロファイルに、そのような突起を有することが可能である。したがって、第２の枠プロファイルは、上側および下側枠プロファイル壁部に、対応する凹部を有する。
【００３８】
さらに、第１の枠プロファイルは、上側プロファイル壁部において突起を有し、下側プロファイル壁部において凹部を有することが可能であり、またはその逆が可能である。したがって、第２の枠プロファイルは、上側プロファイル壁部において対応する凹部を、および下側プロファイル壁部において対応する突起を有するか、またはその逆である。
【００３９】
この発明の代替的なさらなる展開によれば、一方の枠プロファイルは、対面側端部セクションにおいて、上側および／または下側プロファイル壁部の内側に配置され、対面縁部のプロファイル長手方向軸に沿って突出するガイド要素を含む。ガイド要素はガイドプレートであり得る。ガイド要素は、内側において、上側または下側プロファイル壁部に、ボンド接続、ハンダ接続または溶接接続を介して接続することが可能である。
【００４０】
さらに、対面縁部を越えて突出する側部案内要素が、一方の枠プロファイルの対面側端部セクションにおいて、側方プロファイル壁部の内側において取付けられ得る。側部案内要素は、特に、第１の対面縁部セクションと第２の対面縁部セクションとの間のオフセットの領域において配置することが可能である。側部案内要素は、内側において、ボンド接続、ハンダ接続または溶接接続を介して側方プロファイル壁部に接続することが可能である。
【００４１】
対面縁部から突出するガイド要素、または対面縁部から突出する側部案内要素は、それらの突出するセクションで、反対のプロファイルの端部セクションにおけるプロファイル空洞に係合する。ガイド要素または側部案内要素は、これによって、好ましくは、内側において、反対のプロファイルのプロファイル壁部に沿って摺動する。
【００４２】
この発明の好ましい実施例によれば、１つの枠プロファイルは、２つの近接する枠プロファイル間に配置され、両方の対面側端部セクションにおいて、下方を指す突起および上方を指す突起をそれぞれ含む。枠プロファイルは、その結果、鉛直軸に関して対称に設計される。両側に近接する枠プロファイルの対面側端部セクションは、したがって上方または下方を指す突起を含む。その結果、言及される枠プロファイルは、ねじ接続が解放されると、下方を指す突起を与えられたものは、枠から上方向に出て除去されることが可能であり、上方を指す突起を与えられたものは、枠から下方向に出て除去されることが可能である。
【００４３】
この発明は、さらに、少なくとも２つの枠プロファイルをともない、枠構築物を形成するためのキットに関する。枠プロファイルは、中空のプロファイルとして設計され、それらのプロファイル長手方向軸において対面側端部セクションを介して互いに接続可能である。
【００４４】
この発明によれば、２つの枠プロファイルのプロファイル壁部は、それらの対面側端部セクションにおいて、２つの枠プロファイルがそれらの対面側端部セクションにおいて少なくとも１つの積極的な嵌合い接続を形成し得る態様で設計され、それによって、接続上に長手方向に作用する力、横断するように作用する力、および鉛直方向に作用する力を打ち消す。
【００４５】
運搬装置の関係において開示されるさらなる展開、および枠プロファイルの実施例またはそれらの特徴は、さらに、キットの枠プロファイルに関する。
【００４６】
枠構築物は、運搬要素を取り囲み、したがってこれを側方において包囲する、長手方向に走り横断するように走る枠プロファイルをともなう枠構造体として設計することが可能である。枠構築物は、特に、横断支材をともなう梯子枠として設計することも可能である。
【００４７】
運搬装置は、静置される物品またはさらには可動な物品のような、かさ高い物品または小さな物品の運搬のために適用することが可能である。小さな物品は、製品または生物、たとえば人、動物または植物であり得る。
【００４８】
運搬装置は、たとえば、動く歩道または平坦なエスカレータとして設計され得る。動く歩道または平坦なエスカレータは、たとえば空港、ショッピングモールまたは駅において、より長い距離にわたって、または異なる階を通って、人を運搬するために用いられる。動く歩道または平坦なエスカレータの長さは５０〜１５０ｍであり得る。
【００４９】
この発明に従う運搬装置は、特に作業者ライダーベルトとして用いられる。作業者ライダーベルトは、組立工程のような作業工程が通過する製造ラインの製品に対して実行されることを必要とする産業製造において適用される。作業者は作業者ライダーベルト上において物体と平行に運搬方向にともに移動され、作業者に、通過する物体に対して作業工程を実行するのに十分な時間が与えられる。そのような作業者ライダーベルトは、数メートルの長さ、たとえば６〜５０ｍの長さを有することが可能である。
【００５０】
この発明に従う運搬装置は、さらに、保管スペースに積荷および保管スペースから荷降ろしするための運搬装置として用いることが可能である。運搬装置は、たとえば貨物自動車のような路上車両、運送貨物貨車のような鉄道車両、貨物船のような船舶、または飛行機のような航空機といった輸送手段において配されることが可能である。さらに、運搬装置は輸送手段の外部に配置することも可能であり、運搬貨物は運搬装置を介して輸送手段上に移送される。
【００５１】
さらに、保管スペース運搬装置は、さらに、貨物コンテナまたは船舶コンテナにおいて、コンテナを積載および荷降ろしするために適用することが可能である。そのようなコンテナは、道路、鉄道、空中、または海洋における物品の輸送に対して供され、したがって、路上車両、鉄道車両、航空機または船舶によって輸送される。
【００５２】
さらに、この発明に従う運搬装置は、さらに、保管システムにおいて、特に高い格間の倉庫において、保管スペース運搬装置として適用することが可能である。保管システムは特に複数のパレット空間が特徴であり、保管されるべき物品をともなう輸送パレットが、保管スペースから、またはその保管スペースに、この発明に従う運搬装置を介して運搬される。ここで、それは運搬装置が下からアクセス可能でなければならないという場合かもしれない。つまり、枠プロファイルは、枠構築物から外に鉛直に下方向に解放されることができなければならない。
【００５３】
広範囲に延ばされた運搬要素によって形成される運搬表面は、設置された状態において、平面または傾けられた態様で走行することが可能である。運搬要素は、運搬ベルト、コンベアベルトまたはキャリヤベルトであり得る。運搬要素は、しかしながら、好ましくは、運搬表面をともなうリンクされた運搬鎖であり、運搬鎖は、各場合において関節で互いに接続された個々の鎖リンクからなる。そのような運搬鎖は、たとえば、広範囲に延ばされたリンク鎖、モジュールベルト、プレート鎖、モジュールベルト鎖またはマット鎖であり得る。運搬鎖はヒンジベルト鎖またはプレートベルト鎖でもあり得る。
【００５４】
この発明の主題は、添付の図面において表わされる好ましい実施例により、以下に詳細に記載される。各場合において、以下において概略的に示される。 
【図面の簡単な説明】
【００５５】
【図１】この発明に従う運搬装置からのあるセクションの斜視図である。
【図２ａ】図１に従う運搬装置の枠構築物のためのプロファイル接続の第１の実施例を示す。
【図２ｂ】図１に従う運搬装置の枠構築物のためのプロファイル接続の第１の実施例を示す。
【図２ｃ】図１に従う運搬装置の枠構築物のためのプロファイル接続の第１の実施例を示す。
【図３ａ】図１に従う運搬装置の枠構築物のためのプロファイル接続の第２の実施例を示す。
【図３ｂ】図１に従う運搬装置の枠構築物のためのプロファイル接続の第２の実施例を示す。
【発明を実施するための形態】
【００５６】
図１に従う運搬装置１は、広範囲に延ばされた可撓性のある運搬要素２の両側に配置される長手方向のプロファイル５をともなう枠構築物６を含む。枠構築物６は特に運搬要素２の側方包囲のために働く。さらに、枠構築物６は、運搬装置１の個々またはすべての構成要素のための支持枠を形成する。これらは、直接的または間接的な態様で枠構築物６において支持されるか、またはこれに固定されることが可能である。そのような構成要素は、たとえば、運搬装置１の頭部端における運搬要素２のための偏向装置、駆動装置、または運搬要素２のための支持構造体であり得る。
【００５７】
運搬要素２は上側走行セクション１２を含み、それは運搬表面４を形成する。さらに、運搬要素２は下側走行セクション１３を形成する。下側走行セクション１３は、運搬要素２が運搬方向Ｂの反対に導かれて戻ることを確実にする。
【００５８】
枠構築物６およびさらにこの上において運搬装置１は、この実施例に従うと、基部床に向かって、支持脚部３を介して支持される。支持脚部３は、さらに、運搬装置１を水平にするためにも働く。
【００５９】
運搬要素２の運搬方向Ｂに平行に延在する枠構築物６の長手方向のプロファイル５は、いくつかの枠プロファイル７，２７；５７，７７からなり、それらは、それらのプロファイル長手方向軸Ｌにおいて対面端端部セクション８，２８；５８，７８を介して互いに接続される。枠プロファイル７，２７；５７，７７は中空のプロファイルとして設計される。
【００６０】
２つの枠プロファイル７，２７；５７，７７の２つの側方プロファイル壁部１１は、各場合において、対面側端部セクション８，２８；５８，７８において、第１の対面縁部セクション１７ａ、および第１の対面縁部セクション１７ａに関してプロファイル長手方向軸Ｌに沿って後退させられる第２の対面縁部セクション１７ｂを形成する。言及される対面縁部セクション１７ａ、１７ｂは、上側プロファイル壁部９から下側プロファイル壁部１０の方向に、またはその逆に、走る。
【００６１】
側方プロファイル壁部１１の対面縁部１７は、プロファイル長手方向軸Ｌを横断するように見て、第１および第２の対面縁部セクション１７ａ、１７ｂ間のオフセットの領域において、溝状の凹部１８を形成する。溝状の凹部１８はプロファイル端部の方向において上側または下側プロファイル壁部９，１０に向けられた突起２２に合併する。
【００６２】
側方プロファイル壁部１１の対面縁部１７は、プロファイル長手方向軸Ｌを横断するように見て、見る角度によって、オフセットの領域において、Ｚ形状またはＳ形状に設計される。
【００６３】
２つの枠プロファイル７，２７；５７，７７の側方プロファイル壁部１１の対面側端部セクション８，２８；５８，７８における対面縁部１７は、互いと等しく、かつ互いと対向して設計され、したがって、枠プロファイル７，２７；５７，７７の側方プロファイル壁部１１は積極的な嵌合いで合わせることが可能である。
【００６４】
突起２２はプロファイル接続の形成のために反対のプロファイルの溝状の凹部１８に挿入される。このために、突起２２が下側プロファイル壁部１０の方向を指す枠プロファイル７，５７は、突起２２が上側プロファイル壁部９の方向を指す枠プロファイル２７，７７の方向に、頂部から底部に移動される。
【００６５】
枠プロファイル７，２７；５７，７７の接続は、上に記載される側方プロファイル壁部１１の対面縁部１７の形状のため、長手方向、つまりプロファイル長手方向Ｌにおいて作用する力を打ち消す。
【００６６】
図２ａ〜図２ｃに従うこの発明の第１のさらなる展開によれば、一方の枠プロファイル２７の上側プロファイル壁部９は、対面側端部セクション２８においてその対面縁部２３でプロファイル長手方向軸において突起２０を形成する。他方の枠プロファイル７の上側プロファイル壁部９は対面側端部セクション８においてその対面縁部２３で、プロファイル長手方向軸Ｌにおいて、突起２０に対応する凹部２１を形成する。
【００６７】
さらに、一方の枠プロファイル２７の下側プロファイル壁部１０は対面側端部セクション２８においてその対面縁部２３で、プロファイル長手方向軸Ｌにおいて凹部２０を形成する。他方の枠プロファイル７の下側プロファイル壁部１０は対面側端部セクション８においてその対面縁部２３で、プロファイル長手方向軸Ｌにおいて、凹部２１に対応する突起２０を形成する。
【００６８】
突起および凹部は等しくかつ対向する態様において設計され、したがって、枠プロファイル７，２７の上側および下側プロファイル壁部９，１０は、積極的な嵌合いで合わせることが可能である。
【００６９】
枠プロファイル７，２７の接続は、上側および下側プロファイル壁部９，１０の対面縁部２３の上記の形状のため、横断するように（プロファイル横断方向）、つまりプロファイル長手方向Ｌを横断するように作用する力、ならびに上側および下側プロファイル壁部９，１０と平行に作用する力を打ち消す。
【００７０】
図３ａおよび図３ｂに従うこの発明の第２のさらなる展開によれば、一方の枠プロファイル７７は、対面側端部セクション７８において、上側プロファイル壁部９の内側に配置され、対面縁部２３のプロファイル長手方向軸Ｌに沿って突出するガイドプレート７２を含む。ガイドプレート７２は該内側において上側プロファイル壁部９に溶接接続を介して接続される。
【００７１】
さらに、各場合において、対面縁部１７を越えて突出する側部案内プレート７３が、同じ枠プロファイル７７の対面側端部セクション７８において、オフセットの領域において、側方プロファイル壁部１１の内側において取付けられる。それぞれの側部案内プレート７３は該内側において側方プロファイル壁部１１に溶接接続を介して接続される。
【００７２】
対面縁部２３を越えて突出するガイドプレート７２と、対面縁部１７から突出する側部案内プレート７３とは、それらの突出するセクションが端部セクション５８の領域にある状態で、反対のプロファイル５７のプロファイル空洞に係合する。ガイド要素７２または側部案内要素７３は、これによって、好ましくは、反対のプロファイル５７のプロファイル壁部９，１１に沿って摺動する。
【００７３】
枠プロファイル７７，５７の接続は、上に記載されるガイドプレートまたは側部案内プレート７３のため、横断するように、つまりプロファイル長手方向Ｌを横断するように作用する力、ならびに上側および下側プロファイル壁部９，１０と平行に作用する力を打ち消す。
【００７４】
第１の枠プロファイル７，５７の対面側端部セクション８，２８；５８，７８は、第２の枠プロファイル２７，７７への接続の形成のために、ここで、第１の枠プロファイル７，５７に接続されない第２の枠プロファイル２７，７７の対面側端部セクション８，２８；５８，７８と同一に設計される。
【００７５】
したがって、第２の枠プロファイル２７，７７の対面側端部セクション８，２８；５８，７８は、第１の枠プロファイル７，５７への接続の形成のために、第２の枠プロファイル２７，７７に接続されない第１の枠プロファイル７，５７の対面側端部セクション８，２８；５８，７８と同一に設計される。
【００７６】
このようにして、無限に多くの枠プロファイル７，２７；５７，７７を、プロファイル長手方向Ｌにおいて次々とそれらの対面側端部セクション８，２８；５８，７８を介する積極的な嵌合いで接続することが可能である。したがって、異なる構築物長さの運搬装置１を、記載される枠プロファイル７，２７；５７，７７で形成することが可能である。
【００７７】
２つの枠プロファイル７，２７；５７，７７はねじ接続を介して互いに固定され、そのため、それらは、今や、運搬装置１の動作中において、鉛直に上方向、つまりプロファイル長手方向軸に垂直に、およびプロファイル横断方向に垂直にも、可動ではない。ねじ接続は、このために、頂部から枠プロファイル７，２７；５７，７７の対面側端部セクション８，２８；５８，７８を通ってそのように導かれる接続ねじ１４を含む。
【００７８】
接続ねじ１４は、第１の枠プロファイル７，５７の上側プロファイル壁部９および第２の枠プロファイル２７，７７の下側プロファイル壁部１０を通って導かれる。
【００７９】
接続ねじ１４は、さらに、プロファイル空洞２４に取付けられた支持プレート１５を通って導かれ、ねじ頭部を介してこの支持プレートに支持される。支持プレート１５は、プロファイル空洞２４において横断するように延在し、各場合において、一方の端部が側方プロファイル壁部１１に溶接接続によって固定される。
【００８０】
接続ねじ１４は、さらに、溶接接続により下側プロファイル壁部１０おいて外側に取付けられたねじナット１６内に導かれ、このナットにねじ留めされる。
【００８１】
枠プロファイル７，２７；５７，７７の接続は、上に記載されるねじ接続により、運搬装置の動作中に鉛直に上方向に作用する力を打ち消す。
【００８２】
ここで、２つの枠プロファイル７，５７；２７，７７間の接続が形成されることになる場合、突起２２が下側プロファイル壁部１０に向けられる枠プロファイル７，５７は、下方向の移動により他方の枠プロファイル２７，７７の方向に下げられ、それによって、枠プロファイル７，５７；２７，７７は、それらの対面縁部２３，１７で、積極的な嵌合い接続をとる。
【００８３】
この種の組立は、運搬装置１が、たとえば、地面に埋没され、したがって、アクセスが上からのみしか保証されない場合において、とりわけ有利である。
【００８４】
次いで、接続が解放され、２つの枠プロファイル７，５７；２７，７７が互いから分離されることになる場合には、ねじ接続は第１のステップにおいて解放される。突起２２が下側プロファイル壁部１０に向けられる枠プロファイル７，５７は、ここでは、これがその他方の端部セクションでさらなる枠プロファイルに接続されないので、上方向に移動により持上げられ、枠構築物から解放されることができる。
【符号の説明】
【００８５】
１  運搬装置、２  運搬要素、６  枠構築物、７，２７  枠プロファイル、８  対面側端部セクション、９，１０，１１  プロファイル壁部、Ｌ  プロファイル長手方向軸。
【図１】
2014156353.tif 000003
【図２ａ】
2014156353.tif 000004
【図２ｂ】
2014156353.tif 000005
【図２ｃ】
2014156353.tif 000006
【図３ａ】
2014156353.tif 000007
【図３ｂ】
2014156353.tif 000008
【外国語明細書】
2014156353000001.pdf